(57)【要約】【課題】小型化を損なうことなく、不要な寄生成分や不要な電磁的結合の発生を低減することが可能な分配／合成器を提供する。【解決手段】分配／合成器１００は、第１及び第２の端子１，２間に直列に接続された第１及び第２の伝送線路１１，１２と、第１及び第３の端子１，３間に直列に接続された第３及び第４の伝送線路１３，１４と、第１及び第２の伝送線路１１，１２間の接続部と第３及び第４の伝送線路１３，１４間の接続部との間に設けられ、抵抗素子とキャパシタとを含むＲＣ回路２０と、第１及び第２の伝送線路１１，１２間の接続部とＲＣ回路２０との間に接続された第５の伝送線路１５と、第３及び第４の伝送線路１３，１４間の接続部とＲＣ回路２０との間に接続された第６の伝送線路１６とを備え、第１及び第３の伝送線路１１，１３は電気角θを有し、第２及び第４の伝送線路１２，１４は電気角９０°−θを有する。【選択図】図１
2015035758.tif 000002
【特許請求の範囲】
【請求項１】
第１の端子に入力される信号を２つの信号に分配して第２及び第３の端子へそれぞれ出力する分配器として機能し、もしくは、前記第２及び第３の端子にそれぞれ入力される２つの信号を合成して前記第１の端子へ出力する合成器として機能するウィルキンソン型の分配／合成器であって、
前記第１の端子と前記第２の端子との間に順に直列に接続された第１及び第２の伝送線路と、
前記第１の端子と前記第３の端子との間に順に直列に接続された第３及び第４の伝送線路と、
前記第１及び第２の伝送線路の間の接続部と、前記第３及び第４の伝送線路の間の接続部との間に設けられ、抵抗素子とキャパシタとを含むＲＣ回路と、
前記第１及び第２の伝送線路の間の接続部と前記ＲＣ回路との間に接続された第５の伝送線路と、
前記第３及び第４の伝送線路の間の接続部と前記ＲＣ回路との間に接続された第６の伝送線路と、
を備え、
前記第１及び第３の伝送線路は電気角θを有し、前記第２及び第４の伝送線路は電気角９０°−θを有する、
分配／合成器。
【請求項２】
前記第２及び第４の伝送線路の特性インピーダンスＺ２は、前記第１及び第３の伝送線路の特性インピーダンスＺ１及び電気角θ、並びに前記第１〜第３の端子に接続される終端抵抗の抵抗値Ｚ０に基づく下式を満たすように設定される、
【数１】
2015035758.tif 000017
請求項１に記載の分配／合成器。
【請求項３】
前記第５及び第６の伝送線路の特性インピーダンスＺ３は、前記第１及び第３の伝送線路の特性インピーダンスＺ１及び電気角θ、前記第２及び第４の伝送線路の特性インピーダンスＺ２、及び、前記第５及び第６の伝送線路の電気角φに基づく下式を満たすように設定される、
【数２】
2015035758.tif 000018
請求項１又は２に記載の分配／合成器。
【請求項４】
前記ＲＣ回路は、前記抵抗素子と前記キャパシタとの直列回路であり、
前記抵抗素子の抵抗値ＲＳ及び前記キャパシタのキャパシタンスＣＳは、角周波数ω０、前記第１及び第３の伝送線路の特性インピーダンスＺ１及び電気角θ、前記第２及び第４の伝送線路の特性インピーダンスＺ２、前記第５及び第６の伝送線路の特性インピーダンスＺ３及び電気角φ、及び、前記第１〜第３の端子に接続される終端抵抗の抵抗値Ｚ０に基づく下式を満たすように設定される、
【数３】
2015035758.tif 000019
請求項１〜３の何れか１項に記載の分配／合成器。
【請求項５】
前記ＲＣ回路は、前記抵抗素子と前記キャパシタとの並列回路であり、
前記抵抗素子の抵抗値ＲＰ及び前記キャパシタのキャパシタンスＣＰは、角周波数ω０、前記第１及び第３の伝送線路の特性インピーダンスＺ１及び電気角θ、前記第２及び第４の伝送線路の特性インピーダンスＺ２、前記第５及び第６の伝送線路の特性インピーダンスＺ３及び電気角φ、及び、前記第１〜第３の端子に接続される終端抵抗の抵抗値Ｚ０に基づく下式を満たすように設定される、
【数４】
2015035758.tif 000020
請求項１〜３の何れか１項に記載の分配／合成器。
【発明の詳細な説明】
【技術分野】
【０００１】
本発明は、分配／合成器に関する。
【背景技術】
【０００２】
携帯電話やスマートホン等にみられるように通信技術が進歩し、画像や音声伝送のためにますます通信容量が必要になっている。また、通信装置に対しては小型軽量、少消費電力が要求されている。このため、ミリ波などより高い周波数領域の活用や回路の集積化が求められ活発な研究が進んでいる。この種のマイクロ波ミリ波回路として、平面構成で集積化に適したウィルキンソン型電力分配器がある。非特許文献１〜３には、この種のウィルキンソン型電力分配器が開示されている。
【０００３】
非特許文献１に開示のC.J. Trantanella提案の分配器は、オリジナルのウィルキンソン型電力分配器における２つの１／４波長の伝送線路間に、これらの伝送線路の中間点同士を接続するように、抵抗とコンデンサとが直列に接続された複素インピーダンス回路を設けている。
【０００４】
非特許文献２に開示の分配器の回路模式図を図８（ａ）に、回路パターンを図８（ｂ）に示す。このS. Horst提案の分配器は、２つの伝送線路の電気角をそれぞれ９０°＋θとするとともに、２つの伝送線路と吸収抵抗との間それぞれに電気角θの伝送線路を設けている（非特許文献３も同様）。
【先行技術文献】
【非特許文献】
【０００５】
【非特許文献１】C. J. Trantanella, “Anovel power divider with enhanced physical and electrical port isolation,” inIEEE MTT-S. Int.Microw. Symp. Dig., May. 2010, pp. 129-132.
【非特許文献２】Horst, S., Bairavasubramanian, R.,Tentzeris, M. M., and Papapolymerou, J. : ‘ModifiedWilkinson power dividers for milimeter-wave integrated circuits’,IEEE Trans. Microw. Theory Tech., Nov. 2007, 55, (11), pp. 2439-2446.
【非特許文献３】Y. Tahara, H. Ohhashi, and M.Miyazaki, “A novel three-port power divider with compensation networks fornon-ideal isolation resistor,” IEICE Trans. Electron., vol.E86-C, no.2, pp. 139-143, 2003.
【発明の概要】
【発明が解決しようとする課題】
【０００６】
非特許文献１に開示のC.J. Trantanella提案の分配器では、２つの１／４波長の伝送線路の途中に複素インピーダンス回路を挿入するため、出力端子の配置に自由度を有し、小型で回路レイアウトに自由度を有する。しかしながら、この分配器では、複素インピーダンス回路が２つの伝送線路に直接接続されるので、周波数の高いミリ波帯領域で使用する場合には、複素インピーダンス回路と伝送線路との接続部において不要な寄生容量や寄生インダクタンスが発生してしまう。また、この分配器では、２つの１／４波長の伝送線路が接近するので、不要な電磁的結合が生じてしまう。これらの寄生成分や電磁的結合に起因して、分配器の特性が低下してしまう。
【０００７】
この点に関し、非特許文献２に開示のS. Horst提案の分配器では、２つの伝送線路と吸収抵抗との間それぞれに伝送線路を設けることにより、２つの伝送線路を離間することができ、不要な寄生成分や不要な電磁的結合の発生を低減することができる。しかしながら、この分配器では、伝送線路の長さが合計で４θ増加してしまう。
【０００８】
そこで、本発明は、小型化を損なうことなく、不要な寄生成分や不要な電磁的結合の発生を低減することが可能な分配／合成器を提供することを目的とする。
【課題を解決するための手段】
【０００９】
本発明の分配／合成器は、第１の端子に入力される信号を２つの信号に分配して第２及び第３の端子へそれぞれ出力する分配器として機能し、もしくは、第２及び第３の端子にそれぞれ入力される２つの信号を合成して第１の端子へ出力する合成器として機能するウィルキンソン型の分配／合成器であって、第１の端子と第２の端子との間に順に直列に接続された第１及び第２の伝送線路と、第１の端子と第３の端子との間に順に直列に接続された第３及び第４の伝送線路と、第１及び第２の伝送線路の間の接続部と、第３及び第４の伝送線路の間の接続部との間に設けられ、抵抗素子とキャパシタとを含むＲＣ回路と、第１及び第２の伝送線路の間の接続部とＲＣ回路との間に接続された第５の伝送線路と、第３及び第４の伝送線路の間の接続部とＲＣ回路との間に接続された第６の伝送線路と、を備え、第１及び第３の伝送線路は電気角θを有し、第２及び第４の伝送線路は電気角９０°−θを有する。
【００１０】
この分配／合成器によれば、第１及び第２の伝送線路と、第３及び第４の伝送線路とが２つの１／４波長の伝送線路を構成し、また、ＲＣ回路、すなわち集中定数素子回路（受動素子回路）を使用するので、小型化を損なうことがない。また、この分配／合成器によれば、２つの１／４波長の伝送線路とＲＣ回路との間に第５及び第６の伝送線路をそれぞれ設けているので、２つの伝送線路を離間することができ、不要な寄生成分（不要リアクタンス）や不要な電磁的結合の発生を低減することできる。その結果、分配器の特性（性能）の低下を抑制することができる。また、この分配器は、高密度集積化した集積回路に好適である。
【００１１】
上記した第２及び第４の伝送線路の特性インピーダンスＺ２は、第１及び第３の伝送線路の特性インピーダンスＺ１及び電気角θ、並びに第１〜第３の端子に接続される終端抵抗の抵抗値Ｚ０に基づく下式を満たすように設定される。
【数１】
2015035758.tif 000003
【００１２】
これによれば、第１及び第３の伝送線路の特性インピーダンスＺ１及び電気角θについて、設計自由度を有する。
【００１３】
また、上記した第５及び第６の伝送線路の特性インピーダンスＺ３は、第１及び第３の伝送線路の特性インピーダンスＺ１及び電気角θ、第２及び第４の伝送線路の特性インピーダンスＺ２、及び、第５及び第６の伝送線路の電気角φに基づく下式を満たすように設定される。
【数２】
2015035758.tif 000004
【００１４】
これによれば、第５及び第６の伝送線路の電気角φについて、設計自由度を有する。すなわち、２つの１／４波長の伝送線路の離間距離について、設計自由度を有するので、回路レイアウトを容易にすることができる。
【００１５】
また、上記したＲＣ回路は、抵抗素子とキャパシタとの直列回路であり、抵抗素子の抵抗値ＲＳ及びキャパシタのキャパシタンスＣＳは、角周波数ω０、第１及び第３の伝送線路の特性インピーダンスＺ１及び電気角θ、第２及び第４の伝送線路の特性インピーダンスＺ２、第５及び第６の伝送線路の特性インピーダンスＺ３及び電気角φ、及び、第１〜第３の端子に接続される終端抵抗の抵抗値Ｚ０に基づく下式を満たすように設定される。
【数３】
2015035758.tif 000005
【００１６】
また、上記したＲＣ回路は、抵抗素子とキャパシタとの並列回路であってもよい。この場合、抵抗素子の抵抗値ＲＰ及びキャパシタのキャパシタンスＣＰは、角周波数ω０、第１及び第３の伝送線路の特性インピーダンスＺ１及び電気角θ、第２及び第４の伝送線路の特性インピーダンスＺ２、第５及び第６の伝送線路の特性インピーダンスＺ３及び電気角φ、及び、第１〜第３の端子に接続される終端抵抗の抵抗値Ｚ０に基づく下式を満たすように設定される。
【数４】
2015035758.tif 000006
【発明の効果】
【００１７】
本発明によれば、小型化を損なうことなく、不要な寄生成分や不要な電磁的結合の発生を低減することができる。
【図面の簡単な説明】
【００１８】
【図１】本発明の実施形態に係る分配器を示す回路図である。
【図２】図１におけるＲＣ回路を示す回路図である。
【図３】本実施形態の分配器の設計チャートの一例を示す図である。
【図４】本実施形態の分配器の設計チャートの一例を示す図である。
【図５】本実施形態の分配器の（ａ）偶モード等価回路及び（ｂ）奇モード等価回路を示す図である。
【図６】本実施形態の分配器の試作例を示す図である。
【図７】本実施形態の分配器における（ａ）第１の端子の反射特性、（ｂ）第２の端子の反射特性、（ｃ）第２及び第３の端子間のアイソレーション特性、（ｄ）第１の端子−第２の端子の伝送特性のシミュレーション結果及び測定結果である。
【図８】従来の分配器を示す回路図である。
【発明を実施するための形態】
【００１９】
以下、図面を参照して本発明の好適な実施形態について詳細に説明する。なお、各図面において同一又は相当の部分に対しては同一の符号を附すこととする。
【００２０】
図１は、本発明の実施形態に係る分配器を示す回路図である。図１に示す分配器１００は、ウィルキンソン型分配器であり、第１の端子１に入力される信号を２つの信号に分配して第２及び第３の端子２，３へそれぞれ出力する。この分配器１００は、第１〜第３の端子１〜３と、第１〜第６の伝送線路１１〜１６と、ＲＣ回路２０とを備えている。なお、図１では、第１〜第３の端子１〜３それぞれに抵抗値Ｚ０（例えば、５０Ω）の終端抵抗が接続されている。
【００２１】
第１の伝送線路１１及び第２の伝送線路１２は、第１の端子１と第２の端子２との間に順に直列に接続されており、第３の伝送線路１３及び第４の伝送線路１４は、第１の端子１と第３の端子３との間に順に直列に接続されている。第１及び第３の伝送線路１１，１３それぞれは、設計周波数に対して電気角θとなっており、特性インピーダンスＺ１を有する。一方、第２及び第４の伝送線路１２，１４それぞれは、設計周波数に対して９０°−θとなっており、特性インピーダンスＺ２を有する。
【００２２】
第１及び第２の伝送線路１１，１２の間の接続部と、第３及び第４の伝送線路１３，１４の間の接続部との間には、ＲＣ回路２０が設けられている。そして、第１及び第２の伝送線路１１，１２の間の接続部とＲＣ回路２０との間には、第５の伝送線路１５が接続されており、第３及び第４の伝送線路１３，１４の間の接続部とＲＣ回路２０との間には、第６の伝送線路１６が接続されている。第５及び第６の伝送線路１５，１６それぞれは、設計周波数に対して電気角φとなっており、特性インピーダンスＺ３を有する。
【００２３】
図２（ａ）は、図１におけるＲＣ回路を示す回路図である。図２（ａ）に示すＲＣ回路２０は、抵抗素子２１とキャパシタ２２との直列回路からなる複素インピーダンス回路、すなわちリアクタンス回路（集中定数素子回路、受動素子回路）である。本実施形態では、ＲＣ回路２０のインピーダンスをＺＩＳＯとし、ＲＣ直列回路における抵抗素子２１の抵抗値、及び、キャパシタ２２のキャパシタンスをそれぞれＲＳ、ＣＳとする。
【００２４】
これらの伝送線路の特性インピーダンス及び電気角、並びにＲＣ回路の各素子値は、設計周波数に対して、ウィルキンソン電力分配器の各種条件（入出力端子整合、出力端子間のアイソレーション、所定の電力配分）を満足するように、以下のように設定される。
【００２５】
第２及び第４の伝送線路１２，１４の特性インピーダンスＺ２は、第１及び第３の伝送線路１１，１３の特性インピーダンスＺ１及び電気角θ、並びに第１〜第３の端子１〜３に接続される終端抵抗の抵抗値Ｚ０に基づく下式（１）を満たすように設定される。
【数５】
2015035758.tif 000007
【００２６】
第５及び第６の伝送線路１５，１６の特性インピーダンスＺ３は、第１及び第３の伝送線路１１，１３の特性インピーダンスＺ１及び電気角θ、第２及び第４の伝送線路１２，１４の特性インピーダンスＺ２、及び、第５及び第６の伝送線路１５，１６の電気角φに基づく下式（２）を満たすように設定される。
【数６】
2015035758.tif 000008
【００２７】
ＲＣ回路２０における抵抗素子２１の抵抗値ＲＳ及びキャパシタ２２のキャパシタンスＣＳは、設計周波数における角周波数ω０、第１及び第３の伝送線路１１，１３の特性インピーダンスＺ１及び電気角θ、第２及び第４の伝送線路１２，１４の特性インピーダンスＺ２、第５及び第６の伝送線路１５，１６の特性インピーダンスＺ３及び電気角φ、及び、第１〜第３の端子１〜３に接続される終端抵抗の抵抗値Ｚ０に基づく下式（３）を満たすように設定される。
【数７】
2015035758.tif 000009
【００２８】
なお、上式（１）及び（２）において、Ｚ２＞０、Ｚ３＞０とすると、下式の関係が成り立つ。
Ｚ１＞√２Ｚ０
【００２９】
図３及び図４に、上式（１）〜（５）に基づく設計チャートの一例を示す。図３（ａ）は、第１及び第３の伝送線路１１，１３の電気角θに対する第２及び第４の伝送線路１２，１４の特性インピーダンスＺ２特性、及び、第５及び第６の伝送線路１５，１６の特性インピーダンスＺ３特性であり、図３（ｂ）は、第１及び第３の伝送線路１１，１３の電気角θに対するＲＣ直列回路２０における抵抗素子２１の抵抗値ＲＳ特性、及び、キャパシタ２２のキャパシタンスＣＳ特性である。図３では、設計周波数をｆ０＝１．０ＧＨｚとし、第１及び第３の伝送線路１１，１３の特性インピーダンスをＺ１＝８０．０Ωとし、第５及び第６の伝送線路１５，１６の電気角をφ＝５°，１０°，１５°とした。
【００３０】
一方、図４（ａ）は、第５及び第６の伝送線路１５，１６の電気角φに対する第２及び第４の伝送線路１２，１４の特性インピーダンスＺ２特性、及び、第５及び第６の伝送線路１５，１６の特性インピーダンスＺ３特性であり、図４（ｂ）は、第５及び第６の伝送線路１５，１６の電気角φに対するＲＣ直列回路２０における抵抗素子２１の抵抗値ＲＳ特性、及び、キャパシタ２２のキャパシタンスＣＳ特性である。図４では、設計周波数をｆ０＝１．０ＧＨｚとし、第１及び第３の伝送線路１１，１３の特性インピーダンスをＺ１＝８０．０Ωとし、第１及び第３の伝送線路１１，１３の電気角をθ＝３０°，４５°，６０°とした。
【００３１】
以上より、本実施形態の分配器１００では、第１及び第３の伝送線路１１，１３の特性インピーダンスＺ１及び電気角θを設定すると、上式（１）より第２及び第４の伝送線路１２，１４の特性インピーダンスＺ２が定まり、第５及び第６の伝送線路１５，１６の電気角φを設定すると、上式（２）より第５及び第６の伝送線路１５，１６の特性インピーダンスＺ３が定まり、また、上式（３）〜（５）よりＲＣ回路２０における抵抗素子２１の抵抗値ＲＳ及びキャパシタ２２のキャパシタンスＣＳが定まる。
【００３２】
すなわち、第１及び第３の伝送線路１１，１３の特性インピーダンスＺ１及び電気角θ、並びに第５及び第６の伝送線路１５，１６の電気角φを設定すると、上式（１）〜（５）より全ての素子値が定まり、これらの素子値を有する分配器１００は、設計周波数に対して、ウィルキンソン電力分配器の各種条件（入出力端子整合、出力端子間のアイソレーション、所定の電力配分）を満足することとなる。
【００３３】
以下では、図５を参照して、上式（１）〜（５）の導出方法について説明する。
【００３４】
ウィルキンソン電力分配器の各種条件（入出力端子整合、出力端子間のアイソレーション、所定の電力配分）より、設計周波数において、散乱パラメータ要素が下式（６ａ）及び（６ｂ）を満たさなければならない。
【数８】
2015035758.tif 000010
ここで、偶奇モード分解法を用いる。
【００３５】
まず、図５（ａ）に偶モード等価回路を示す。図５（ａ）において、Ｚｅｖ１、Ｚｅｖ２、Ｚｅｖ３、Ｚｅｖｔｏｔそれぞれは、矢印方向を見た入力インピーダンスを表し、下式（７ａ）〜（７ｄ）のように求められる。
【数９】
2015035758.tif 000011
【００３６】
設計周波数において、第２の端子２における負荷Ｚ０に整合しなければならない条件より、下式（８）が求められる。
【数１０】
2015035758.tif 000012
上式（８）において、実部同士、虚部同士がそれぞれ等しいという条件より、上式（１）及び（２）が得られる。
【００３７】
次に、図５（ｂ）に奇モード等価回路を示す。図５（ｂ）において、Ｚｏｄ１、Ｚｏｄ２、Ｚｏｄ３、Ｚｏｄｔｏｔそれぞれは、矢印方向を見た入力インピーダンスを表し、下式（９ａ）〜（９ｄ）のように求められる。
【数１１】
2015035758.tif 000013
【００３８】
ここで、ＲＣ回路２０のインピーダンスをＺＩＳＯ＝ａ＋ｊｂとすると、設計周波数において、第２の端子２における負荷Ｚ０に整合しなければならない条件より、下式（１０）が求められる。
【数１２】
2015035758.tif 000014
上式（１０）において、実部同士、虚部同士がそれぞれ等しい条件より、上式（４）及び（５）が得られる。そして、ＲＣ回路２０が直列回路であるので、上式（３）が得られる。
【００３９】
このように、本実施形態の分配器１００によれば、第１及び第２の伝送線路１１，１２と、第３及び第４の伝送線路１３，１４とが２つの１／４波長の伝送線路を構成し、また、ＲＣ回路２０、すなわち集中定数素子回路（受動素子回路）を使用するので、小型化を損なうことがない。
【００４０】
また、本実施形態の分配器１００によれば、２つの１／４波長の伝送線路とＲＣ回路２０との間に第５及び第６の伝送線路１５，１６をそれぞれ設けているので、２つの伝送線路を離間することができ、不要な寄生成分（不要リアクタンス）や不要な電磁的結合の発生を低減することできる。その結果、分配器の特性（性能）の低下を抑制することができる。また、本実施形態の分配器１００は、高密度集積化した集積回路に好適である。
【００４１】
また、本実施形態の分配器１００によれば、第５及び第６の伝送線路１５，１６の電気角φ、すなわち、２つの１／４波長の伝送線路の離間距離について、設計自由度を有するので、回路レイアウトを容易にすることができる。
【００４２】
以下に、本実施形態の分配器１００の試作評価結果を示す。設計条件は、周波数ｆ０＝１．０ＧＨｚ、第１及び第３の伝送線路１１，１３の特性インピーダンスＺ１＝８０．０Ω及び電気角θ＝４５°、第５及び第６の伝送線路１５，１６の電気角φ＝１０°、第１〜第３の端子１〜３における終端抵抗の抵抗値Ｚ０＝５０Ωである。このとき、上式（１）及び（２）より、第２及び第４の伝送線路１２，１４の特性インピーダンスはＺ２＝７５．５Ωとなり、第５及び第６の伝送線路１５，１６の特性インピーダンスはＺ３＝７２．７Ωとなる。これらの条件に対する伝送線路の線路長、線路幅を表１に示す。なお、伝送線路の線路長、線路幅の算出では、比誘電率２．２、誘電正接ｔａｎδ＝０．０００９、基板厚０．７８７ｍｍ、銅箔厚０．０１８ｍｍとした。
【表１】
2015035758.tif 000015
また、上式（３）〜（５）より、ＲＣ回路２０における抵抗素子２１の抵抗値はＲＳ＝６５．９８Ωとなり、キャパシタ２２のキャパシタンスはＣＳ＝１．４７ｐＦとなる。
【００４３】
図６に、表１の寸法に基づいて試作した分配器を示す。図６では、ＲＳ＝６８Ω（理論値６５．９８Ω）、ＣＳ＝１．５ｐＦ（理論値１．４７ｐＦ）である。
【００４４】
図７（ａ）は、第１の端子１における反射特性Ｓ１１のシミュレーション結果及び測定結果であり、図７（ｂ）は、第２の端子２における反射特性Ｓ２２のシミュレーション結果及び測定結果である。また、図７（ｃ）は、第２の端子２と第３の端子３との間のアイソレーション特性Ｓ３２のシミュレーション結果及び測定結果であり、図７（ｄ）は、第１の端子１から第２の端子２への伝送特性Ｓ２１のシミュレーション結果及び測定結果である。図７によれば、ウィルキンソン電力分配器として要求される入出力端子整合、出力端子間のアイソレーション、所定の電力配分の条件が全て満足することが、シミュレーション及び実験により確認できた。
【００４５】
なお、本発明は上記した本実施形態に限定されることなく種々の変形が可能である。例えば、本実施形態では、抵抗素子２１とキャパシタ２２との直列回路からなるＲＣ回路２０を例示したが、図２（ｂ）に示すように、ＲＣ回路２０は、抵抗素子２１とキャパシタ２２との並列回路からなるリアクタンス回路であってもよい。
【００４６】
この場合、ＲＣ並列回路における抵抗素子２１の抵抗値ＲＰ、及び、キャパシタ２２のキャパシタンスＣＰは、設計周波数における角周波数ω０、第１及び第３の伝送線路の特性インピーダンスＺ１及び電気角θ、第２及び第４の伝送線路の特性インピーダンスＺ２、第５及び第６の伝送線路の特性インピーダンスＺ３及び電気角φ、及び、第１〜第３の端子に接続される終端抵抗の抵抗値Ｚ０に基づく下式（１１）を満たすように設定される。
【数１３】
2015035758.tif 000016
【００４７】
図３（ｃ）及び図４（ｃ）は、上式（１１），（４），（５）に基づく設計チャートの一例である。図３（ｃ）は、第１及び第３の伝送線路１１，１３の電気角θに対するＲＣ並列回路２０における抵抗素子２１の抵抗値ＲＰ特性、及び、キャパシタ２２のキャパシタンスＣＰ特性であり、図４（ｃ）は、第５及び第６の伝送線路１５，１６の電気角φに対するＲＣ並列回路２０における抵抗素子２１の抵抗値ＲＳ特性、及び、キャパシタ２２のキャパシタンスＣＳ特性である。なお、図３（ｃ）及び図４（ｃ）における条件は、上述した図３及び図４における条件とそれぞれ同一である。
【００４８】
また、本実施形態では、第１の端子１に入力される信号を２つの信号に分配して第２及び第３の端子２，３へそれぞれ出力する分配器１００を例示したが、本発明の特徴は、第２及び第３の端子２，３にそれぞれ入力される２つの信号を合成して第１の端子１へ出力する合成器にも適用可能である。
【符号の説明】
【００４９】
１００…分配器（分配／合成器）、１〜３…第１〜第３の端子、１１，１２…第１及び第２の伝送線路、１３，１４…第３及び第４の伝送線路、１５，１６…第５及び第６の伝送線路、２０…ＲＣ回路、２１…抵抗素子、２２…キャパシタ。
【図１】
2015035758.tif 000021
【図２】
2015035758.tif 000022
【図３】
2015035758.tif 000023
【図４】
2015035758.tif 000024
【図５】
2015035758.tif 000025
【図７】
2015035758.tif 000026
【図８】
2015035758.tif 000027
【図６】
2015035758.tif 000028